(57)【特許請求の範囲】
【請求項１】
光が透過される透明または半透明な合成樹脂製のノブ本体と、
前記ノブ本体の上面に積層される遮光金属板と、を備え、
前記遮光金属板は、接着またはインサート射出によって前記ノブ本体の上面に積層され、発光表示窓と所定の厚さに形成された金属板と、を備え、
前記発光表示窓は、前記ノブ本体の上面に前記遮光金属板を積層した後に、コンピュータ数値制御（ＣＮＣ）加工によって前記遮光金属板を所定の厚さを貫通しながら部分的に切削加工して形成され、
前記発光表示窓を介して露出される前記ノブ本体の上面には光拡散樹脂層が積層され、
前記遮光金属板の上面には金属表面加工が行われる、
ことを特徴とする発光式調節ノブ。
【請求項２】
前記ノブ本体に内設される発光素子をさらに備えることを特徴とする請求項１に記載の発光式調節ノブ。
【請求項３】
前記遮光金属板の上面に行われる金属表面加工は、メッキ、蒸着、アノダイジング及びヘアライン加工のうちのいずれか一種であることを特徴とする請求項１に記載の発光式調節ノブ。
【発明の詳細な説明】
【技術分野】
【０００１】
本発明は、自動車または電子製品に適用される各種の調節ノブに係り、さらに詳しくは、合成樹脂製のノブ本体の上部に、例えば、レーザ加工またはコンピュータ数値制御（ＣＮＣ）加工などにより発光表示窓付き遮光金属板が積層形成されることにより、長期に亘っての使用にも拘わらず遮光金属板が変色したり剥がれたりする虞が全くないだけではなく、アノダイジングまたはヘアライン加工などの金属特有の表面加工が行えることから、ノブ本体の上面に遮光層が塗装または蒸着によって積層形成されていた従来の調節ノブよりも遥かに見栄えがよく、しかも、高級感あふれるデザインが得られる発光式調節ノブに関する。
【背景技術】
【０００２】
一般に、自動車または電子製品などに適用される調節ノブは、例えば、自動車の変速ギア上のチェンジノブなどの表示型調節ノブと、例えば、自動車の始動ボタンなどのプッシュ型調節ノブと、例えば、オーディオのボリューム調節ダイアルなどの回転型調節ノブなどといったように非常に多岐に亘っている。
【０００３】
かような調節ノブとしては、単に合成樹脂製の通常の調節ノブも多用されるが、最近は、見栄えがよく、高級感あふれるデザインが得られるとともに、視認性が高まるように下部の発光素子から発せられる光を文字状または記号状の発光表示窓を介して外部に出射する発光式調節ノブが脚光を浴びている。
【０００４】
従来の発光式調節ノブの場合には、合成樹脂製のノブ本体の上面に文字状または記号状の発光表示窓が形成されるように、発光表示窓を除く残りの部分に遮光層が塗装または蒸着によって積層形成されるような構成を有する。
【０００５】
しかしながら、従来の発光式調節ノブの場合には、遮光層が塗装または蒸着によってノブ本体の上面に積層形成されるため、長期に亘って用いる場合には遮光層が変色したりユーザの手との摩擦によって遮光層が剥がれたりするという問題点があった。
【０００６】
また、従来の発光式調節ノブの場合には、単一色の遮光層が積層形成されるため、デザイン的な側面からユーザの好みを満たすことができず、ユーザはすぐに嫌気が差してしまうという問題点もあった。
【発明の概要】
【発明が解決しようとする課題】
【０００７】
本発明の目的は、ノブ本体の上部に発光表示窓付き遮光金属板が積層形成されることから、長期に亘っての使用にも拘わらず遮光金属板が変色したり剥がれたりする虞が全くなく、見栄えのよいデザインが持続する発光式調節ノブを提供することである。
【０００８】
本発明の他の目的は、遮光金属板の上に金属特有の表面加工が行えることから、ノブ本体の上面に遮光層が塗装または蒸着によって積層形成されていた従来の調節ノブよりも遥かに見栄えがよく、しかも、高級感あふれるデザインが得られる発光式調節ノブを提供することである。
【課題を解決するための手段】
【０００９】
上述した本発明の目的を達成するため、本発明は、光が透過される透明または半透明な合成樹脂製のノブ本体と、前記ノブ本体の上面に積層される遮光金属板と、を備え、前記遮光金属板は、接着またはインサート射出によって前記ノブ本体の上面に積層され、発光表示窓と所定の厚さに形成された金属板と、を備え、前記発光表示窓は、前記ノブ本体の上面に前記遮光金属板を積層した後に、コンピュータ数値制御（ＣＮＣ）加工によって前記遮光金属板を所定の厚さを貫通しながら部分的に切削加工して形成され、前記発光表示窓を介して露出される前記ノブ本体の上面には光拡散樹脂層が積層され、前記遮光金属板の上面には金属表面加工が行われる、ことを特徴とする発光式調節ノブを提供するものである。
【００１０】
本発明の好適な特徴によれば、本発明に係る発光式調節ノブは、前記ノブ本体に内設される発光素子をさらに備える。
【００１４】
本発明の好適な特徴によれば、前記遮光金属板の上面に行われる金属表面加工は、メッキ、蒸着、アノダイジング及びヘアライン加工のうちのいずれか一種である。
【発明の効果】
【００１５】
本発明に係る発光式調節ノブによれば、従来のようにノブ本体の上部に発光表示窓付き遮光層が塗装または蒸着によって積層形成されるのではなく、ノブ本体の上部に発光表示窓付き遮光金属板が積層形成されることにより、金属板の材質的な特性によって、長期に亘っての使用にも拘わらず、遮光金属板が変色したり剥がれたりする虞がなく、見栄えのよいデザインが持続するという卓越した効果がある。
【００１６】
また、本発明に係る発光式調節ノブによれば、発光表示窓を介して露出されるノブ本体の上面に光拡散樹脂層が積層されることにより、光が拡散された状態で発光表示窓を介して発せられることから、視認性が一層高まるという卓越した効果がある。
【００１７】
さらに、本発明に係る発光式調節ノブによれば、遮光金属板の上に、例えば、メッキ、蒸着、アノダイジングまたはヘアライン加工などの金属特有の表面加工が行えることから、ノブ本体の上面に遮光層が塗装または蒸着によって積層形成されていた従来の調節ノブよりも遥かに見栄えがよく、しかも、高級感あふれるデザインが得られるという卓越した効果がある。
【図面の簡単な説明】
【００１８】
【図１】本発明に係る発光式調節ノブ付き自動車の始動ボタンの使用状態図。
【図２】本発明に係る発光式調節ノブ付き自動車の始動ボタンの斜視図。
【図３】本発明に係る発光式調節ノブの分解斜視図。
【図４】本発明に係る発光式調節ノブの断面図。
【発明を実施するための形態】
【００１９】
以下、添付図面に基づき、本発明の好適な実施形態について詳述するが、これは本発明が属する技術分野において通常の知識を有する者が発明を容易に実施できる程度に詳細に説明するためのものであり、これにより本発明の技術的な思想及び範疇が限定されることはない。
【００２０】
本発明に係る発光式調節ノブ１は、例えば、自動車の変速ギア上のチェンジノブなどの表示型調節ノブと、例えば、図１及び図２に示すように、自動車の始動ボタン３などのプッシュ型調節ノブと、例えば、オーディオのボリューム調節ダイアルなどの回転型調節ノブなどといったように自動車または電子製品などに非常に多岐に亘って適用されており、特に、下部の発光素子３０から発せられる光を文字状または記号状の発光表示窓２１を介して外部に出射して視認性を高めるものであり、図１から図４に示すように、光が透過される透明または半透明な合成樹脂製のノブ本体１０と、ノブ本体１０の上面に積層される発光表示窓２１付き遮光金属板２０と、を備える。
【００２１】
ここで、ノブ本体１０は、本発明に係る発光式調節ノブ１の胴体を形成するものであり、発光素子３０によって発生した光が透過可能な透明または半透明な合成樹脂材によって製造される。
【００２２】
上述したノブ本体１０の上面には遮光金属板２０が積層されるが、この遮光金属板２０は、発光表示窓２１を除く残りの部分に遮光面を形成するものであり、例えば、ステンレス鋼板またはアルミニウム板などから製作され、発光表示窓２１を有する。
【００２３】
遮光金属板２０は、接着剤によってノブ本体１０の上面に接着されてもよく、実施形態によっては、ノブ本体１０の上面に積層されるようにノブ本体１０と一体にインサート射出されてもよく、加熱接合などその他の様々な方法によってノブ本体１０の上面に積層されてもよい。
【００２４】
発光表示窓２１は、発光素子３０から発せられた光を透明または半透明なノブ本体１０を経て外部に出射するものであり、通常、本発明に係る発光式調節ノブ１によって調節される機能を示す文字状または記号状を呈する。なお、前記発光表示窓２１は、遮光金属板２０がノブ本体１０の上面に積層された状態でレーザ加工またはコンピュータ数値制御（ＣＮＣ）加工によって遮光金属板２０の当該部分が切り取られて形成されるか、あるいは、レーザ加工またはコンピュータ数値制御（ＣＮＣ）加工によって遮光金属板２０の当該部分が切り取られた状態でノブ本体１０の上面に積層される。
【００２５】
上述したノブ本体１０には発光素子３０が組み込まれるが、この発光素子３０は、発光ダイオード（ＬＥＤ）素子であることが好ましく、図４に示すように、ノブ本体１０内における発光表示窓２１に対応する下部に設けられて直上方に光を発してもよく、実施形態によっては、ノブ本体１０の側面に組み込まれてノブ本体１０に向かって光を発してもよい。
【００２６】
また、発光表示窓２１を介して露出されるノブ本体１０の上面には光拡散樹脂層４０が積層されてもよいが、この光拡散樹脂層４０は、発光表示窓２１を介して発せられる光をさらに拡散させることにより発光表示窓２１の視認性を高めるものであり、石英ビーズなどの合成樹脂から形成されてもよく、表面に光拡散プリズムを有する合成樹脂から形成されてもよい。
【００２７】
実施形態によっては、光拡散樹脂層４０の代わりに、ノブ本体１０を構成する合成樹脂とは異なるカラーの半透明合成樹脂が発光表示窓２１を介して露出されるノブ本体１０の上面に積層されてもよい。
【００２８】
また、遮光金属板２０はそれ自体が金属であるため、遮光金属板２０の上面に、例えば、メッキ、蒸着、アノダイジング及びヘアライン加工のうちのいずれか一種の金属表面加工が行われてもよいが、このような金属表面加工によって遥かに見栄えがよく、しかも、高級感あふれるデザインが得られる。
【００２９】
このため、本発明に係る発光式調節ノブ１の場合には、従来のようにノブ本体の上部に発光表示窓付き遮光層が塗装または蒸着によって積層形成されるのではなく、ノブ本体１０の上部に発光表示窓２１付き遮光金属板２０が積層形成されることにより、金属板の材質的な特性によって、長期に亘っての使用にも拘わらず、遮光金属板が変色したり剥がれたりする虞がなく、見栄えのよいデザインが持続する。
【００３０】
また、本発明に係る発光式調節ノブ１の場合には、発光表示窓２１を介して露出されるノブ本体１０の上面に光拡散樹脂層４０が積層されることにより、光が拡散された状態で発光表示窓２１を介して発せられることから、発光表示窓２１の視認性が一層高まる。
【００３１】
これらに加えて、本発明に係る発光式調節ノブ１の場合には、遮光金属板２０の上に、例えば、メッキ、蒸着、アノダイジングまたはヘアライン加工などの金属特有の表面加工が行えることから、ノブ本体の上面に遮光層が塗装または蒸着によって積層形成されていた従来の調節ノブよりも遥かに見栄えがよく、しかも、高級感あふれるデザインが得られる。
【産業上の利用可能性】
【００３２】
本発明に係る発光式調節ノブは、例えば、自動車の変速ギア上のチェンジノブなどの表示型調節ノブと、例えば、自動車の始動ボタンなどのプッシュ型調節ノブと、例えば、オーディオのボリューム調節ダイアルなどの回転型調節ノブなどをはじめとして、自動車または各種の電気・電子製品などに用いられる種々のノブ、作動ボタン、操作スイッチなどに適用可能である。
【図１】
0005695275.tif 000002
【図２】
0005695275.tif 000003
【図３】
0005695275.tif 000004
【図４】
0005695275.tif 000005